(57)【要約】【課題】  センターケースを分割構造にしたときの機構の複雑化を避ける。【解決手段】  上構造部３、上隅構造部５、Ｌ字構造部７、右構造部９の４部分は、組立前は別々に分かれており、それぞれの遊技盤取付用のビス穴３５、６１、８１、１２９にて遊技盤に取り付けられることでセンターケース１として組立られる。上構造部３、上隅構造部５、Ｌ字構造部７、右構造部９同士は、直接にも、間接的にも連結されないので、これらを相互に連結する機構は不要で、構造が複雑化しない。分割の境界に相当する分割ベース部（上ベース部２７、上隅ベース部５７、Ｌ字ベース部７１、右前ベース部１２４）の接続端の形状は、隣り合う分割ベース部の接続端同士でのみ対応する相補的な形状にしてあるから、上記のように遊技盤上でセンターケース１を組み立てる際に、各構成単位の相対位置（隣接関係）を間違えるおそれはない。【選択図】  図１
2007014692.tif 000002
【特許請求の範囲】
【請求項１】
背面を遊技盤の前面に接触させられる板状のベース部と、該ベース部の前面又は背面から延出された延出部とを備え、前記ベース部を貫通する取付部材により前記遊技盤に取り付けられる合成樹脂製の遊技盤部品において、
前記ベース部を複数部分に分割して各々を分割ベース部となし、
前記延出部も該分割ベース部に従って分割し、
前記分割の境界に相当する前記分割ベース部の接続端の形状は、隣り合う前記分割ベース部の前記接続端同士でのみ対応する相補的な形状となし、
前記分割ベース部を前記取付部材により前記遊技盤に取り付けることで該遊技盤部品が組み立てられるが、前記分割ベース部同士は連結されない
ことを特徴とする遊技盤部品。
【請求項２】
表示装置の画面を囲繞するセンターケースである、請求項１記載の遊技盤部品。
【発明の詳細な説明】
【技術分野】
【０００１】
本発明は、弾球遊技機の技術分野に属し、詳しくは遊技盤に取り付けられる遊技盤部品に関する。
【背景技術】
【０００２】
パチンコ機等の弾球遊技機においては、遊技盤に表示装置が取り付けられることがあり、多くの場合、表示装置を囲繞するセンターケース（センター役物と呼ばれることもある）を備えている。
【０００３】
このセンターケースのサイズは表示装置の画面サイズに応じたものになるから、画面が大型化すれば、それに応じて大型化しなければならない。そうなれば、センターケースを成形するための金型も大型化する。
【０００４】
この金型の大型化を避けるためには、センターケースを複数部分に分割することが考えられる。特開２００１−２０４９１８号公報には、センターケースを上下に２分割する技術が開示されている。
【特許文献１】特開２００１−２０４９１８号公報
【発明の開示】
【発明が解決しようとする課題】
【０００５】
特許文献１のセンターケースは、上側分割役物部材と下側分割役物部材とを結合してセンターケースを完成させ、その完成したセンターケースを遊技盤に取り付けるので、上側分割役物部材と下側分割役物部材との間の結合機構が必要で、構造が複雑化した。
【課題を解決するための手段】
【０００６】
請求項１記載の遊技盤部品は、
背面を遊技盤の前面に接触させられる板状のベース部と、該ベース部の前面又は背面から延出された延出部とを備え、前記ベース部を貫通する取付部材により前記遊技盤に取り付けられる合成樹脂製の遊技盤部品において、
前記ベース部を複数部分に分割して各々を分割ベース部となし、
前記延出部も該分割ベース部に従って分割し、
前記分割の境界に相当する前記分割ベース部の接続端の形状は、隣り合う前記分割ベース部の前記接続端同士でのみ対応する相補的な形状となし、
前記分割ベース部を前記取付部材により前記遊技盤に取り付けることで該遊技盤部品が組み立てられるが、前記分割ベース部同士は連結されない
構成を採用した。
【０００７】
この遊技盤部品は、これを遊技盤に取り付けるためのベース部を複数部分に分割して各々を分割ベース部となし、また延出部も分割ベース部に従って、つまり各分割ベース部に基部が連接されている部分毎に分割することにより、分割ベース部とこれから延出されている延出部（分割された延出部）とを構成単位とする複数分割構造にしてある。
【０００８】
そして、各構成単位が、それぞれの分割ベース部を貫通する取付部材により遊技盤に取り付けられ、それによって遊技盤上で遊技盤部品が組み立てられる。但し、分割ベース部同士は、直接にも、例えば延出部を介して間接的にも連結されない。すなわち、特許文献１の結合機構に相当するものは不要で、構造が複雑化しない。
【０００９】
また、分割の境界に相当する分割ベース部の接続端の形状は、隣り合う分割ベース部の接続端同士でのみ対応する相補的な形状にしてあるから、上記のように遊技盤部品を組み立てる際に、各構成単位の相対位置（隣接関係）を間違えるおそれはない。
【００１０】
なお、相補的な形状とは、例えば一方が凸なら他方が凹というように、相手方の外縁をオフセットしてできる外縁形状とも言える。但し、隣り合う分割ベース部の接続端同士でのみ対応すればよく、数学的に整合させる必要はない。
【００１１】
例えば同じような凸と凹の組合せがＡ、Ｂ２組（又はそれ以上）あっても、Ａの組の凸とＢの組の凹とでは、凸が大きすぎて凹に合致しないようなら、Ａの組の凸とＢの組の凹とは相補的ではないから、そうした組が複数存在してもよい。
【００１２】
また、直線的な接続端同士でもよいが、これが複数組あるとＡの組の一方とＢの組の一方という組合せでも相補的になることがあるので、このような組が複数存在しない方がよい。
【００１３】
請求項１の遊技盤部品は、分割ベース部とこれから延出されている延出部（分割された延出部）とを構成単位とする複数分割構造にしてあるが、分割ベース部同士は、直接にも、間接的にも連結されないので、これらを連結するための構成は不要であり、構造が複雑化しない。
【００１４】
また、複数の構成単位に分割されていて、これらを遊技盤に取り付けることで遊技盤上で遊技盤部品が組み立てられるので、次のような効果がある。
まず、Ａ構成単位はポリカーボネート、Ｂ構成単位はＡＢＳというように、構成単位毎に材質を変化させることが可能である。
【００１５】
次に、Ａ構成単位は通常の射出成形、Ｂ構成単位はインサート成形というように、構成単位毎に成形方法を異ならせることができる。
また、Ａ構成単位にはシール貼付、Ｂ構成単位は塗装というように、成形後の加工工程を構成単位毎に異ならせる場合には、各構成単位を対応の工程に回して複数種類の後加工を並行的に行えるので、作業効率が向上する。
【００１６】
設計変更があった場合でも、変更が生じた構成単位だけで済み、他の構成単位に影響しないから、例えば金型が無駄になる等のコスト増を回避できる。
設計変更があった場合も含めて、耐用試験等を各構成単位毎に実施できるので、この点でも作業効率が良くなる。
【００１７】
組立前の各構成単位は比較的小型であり、保管や運搬に際して箱等に収納する場合の充填密度を高くできる。つまり、保管時や運搬時に要するスペースが少なくて済む。
本発明は、背面を遊技盤の前面に接触させられる板状のベース部と、該ベース部の前面又は背面から延出された延出部とを備え、前記ベース部を貫通する取付部材により前記遊技盤に取り付けられる合成樹脂製の遊技盤部品であれば特段の制限無く適用できるが、比較的大型の遊技盤部品、特に請求項２に記載の表示装置の画面を囲繞するセンターケースに適用すると良い。
【発明を実施するための最良の形態】
【００１８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
この実施例は、本発明の遊技盤部品をセンターケースとして具体化した例である。
【００１９】
図１に示すように、センターケース１は、上構造部３、上隅構造部５、Ｌ字構造部７、右構造部９の４部分からなっており、これら４部分で囲まれる略長方形の窓１０が形成されている。この窓１０は図示しない表示装置の画面を臨ませるために設けられており、使用状態では、窓１０に画面をはめ込むようにして表示装置が遊技盤に取り付けられる。
【００２０】
図２〜４に示すように、上構造部３は上前部１１、中部１３、背後カバー１５にて構成されている。
上前部１１は、上に凸の右半部１７ａと逆に下に凸の左半部１７ｂとからなる山状の庇部１７、庇部１７の軒下に設けられたレンズ部１９、レンズ部１９の下部に連接状に設けられた底部２１、連結用のボス２３、２５等を備えている。
【００２１】
中部１３は、分割ベース部である上ベース部２７、その背後に延出された分割延出部であるスペーサリブ２９、スペーサリブ２９と同様に上ベース部２７の背後に立設されたボス３１、スペーサリブ２９の端部から延出された連結片３３等を備えている。上ベース部２７には、遊技盤取付用のビス穴３５及び組立用のビス穴３６が設けられ、連結片３３にも組立用のビス穴３６が設けられている。
【００２２】
背後カバー１５は、中部１３のスペーサリブ２９に対応する屋根リブ３７と背板３９とからなり、屋根リブ３７前縁上に外ボス受４１が、背板３９の前面に内ボス受４３が設けられている。
【００２３】
上前部１１と中部１３とは、庇部１７の後端面を上ベース部２７の前面に接触させており、中部１３の背後から上ベース部２７及び連結片３３のビス穴３６を貫通して上前部１１に螺着させたビス（図示略）により連結されている。なお、連結用のボス２３、２５はスペーサリブ２９の下を通っている。
【００２４】
背後カバー１５は、外ボス受４１に中部１３のボス３１の先端部を受入れ、内ボス受４３に上前部１１のボス２３の先端部を受入れ、背後から各ボス受４１、４２のビス穴３６を貫通してボス３１、２３に螺着させたビス（図示略）と図示されないビス穴を貫通してボス２５に螺着させたビス（図示略）により、中部１３及び上前部１１と連結されている。
【００２５】
図５〜７に示すように、上隅構造部５は上隅前部４５と上隅背部４７とで構成されている。
上隅前部４５は、傾斜状の隅庇部４９、上端部で隅庇部４９に連接された左ガード部５１、隅庇部４９の上方に張り出した略三角形のコーナー板５３、コーナー板５３から延出された連結片５５等を備えている。
【００２６】
上隅背部４７は、分割ベース部である上隅ベース部５７、その背後に延出された分割延出部である水平部５９ａと垂直部５９ｂとで構成されるコーナー壁部５９等を備えている。上隅ベース部５７には、遊技盤取付用のビス穴６１及び連結用のビス穴６２が設けられ、水平部５９ａ上にはビス受６３が突出して設けられている。
【００２７】
上隅前部４５と上隅背部４７とは、連結片５５を貫通してビス受６３に螺着されたビス及びビス穴６２を貫通してボス６４に螺着されたビスにより連結されて、上隅構造部５として一体化されている。
【００２８】
図８〜１０に示すように、Ｌ字構造部７は、支持部６７、ステージ部６８、ステージ背部６９等で構成されている。
Ｌ字状の支持部６７は、分割ベース部であるＬ字ベース部７１、その背後に延出された分割延出部であるステージ支承部７２及び左下垂直部７３等を備えている。
【００２９】
Ｌ字ベース部７１は、横部７４と縦部７５とからなる略Ｌ字状で、横部７４の背面からステージ支承部７２が、縦部７５の背面から左下垂直部７３が延出されている。
横部７４の中央部には落下口７６を形成するための切欠７７が設けられ、また横部７４の背面には、ステージ支承部７２と平行状に、樋部材１１５用のボス７８やステージ背部６９用のボス７９が立設されている。さらに、Ｌ字ベース部７１には、遊技盤取付用のビス穴８１が設けられ、縦部７５にはワープ樋９０用のビス穴８２も設けられている。
【００３０】
Ｌ字ベース部７１の横部７４と縦部７５との連接部には小窓８３と小穴８４が設けられており、この小窓８３には装飾板８６がはめ込まれる。また、装飾板８６の背面には短、長２本のボス８７、８８が立設されている。その短い方のボス８７は小穴８４を貫通し、長い方のボス８８は小窓８３を貫通しており、ワープ樋９０の取り付けに用いられる。
【００３１】
ワープ樋９０は、前樋部材９１と後樋部材９２とで構成され、図１０（ｂ）、（ｃ）に示されるとおり、前樋部材９１と後樋部材９２の間にワープ通路９３が形成されている。  ワープ樋９０は緩やかに屈折しており、上部はＬ字ベース部７１の横部７４の前面側に位置し、その側端に遊技球の入口９５が設けられている。一方、下端部はＬ字ベース部７１よりも後方に位置し、ステージ支承部７２の左スロープ９４上に開口する遊技球の出口９６が設けられている。
【００３２】
前樋部材９１は、ビス穴８２を用いたビス止めにより縦部７５に連結され、装飾板８６のボス８７を用いたビス止めによりＬ字ベース部７１に連結され、ボス９７とボス受９８とを用いたビス止めにより後樋部材９２と連結され、また下端に設けられた連結管９９を貫通している装飾板８６のボス８７と後樋部材９２の舌片１０１とを用いたビス止めにより後樋部材９２及びＬ字ベース部７１に連結されている。すなわち、ワープ樋９０は、このようにして形成されて支持部６７に取り付けられている。
【００３３】
ステージ部６８の前板部１０２の中央部には、切欠７７と共に落下口７６を形成する切欠１０３が設けられている。
前板部１０２の背面は主ステージ１０４に連設されている。主ステージ１０４は中央部が最も高い頂部となっており、その左右に緩やかな谷部が設けられている。但し、頂部には後側が低くなるガイド谷１０５が設けられており、その後端は落下誘導口１０６に連なっている。
【００３４】
主ステージ１０４の背後には狭幅の棚部１０８が設けられ、主ステージ１０４と棚部１０８との間には後壁１１０による段差が形成されている。棚部１０８及び後壁１１０は落下誘導口１０６によって左右に分割されている。
【００３５】
ステージ部６８は、主ステージ１０４の左端をステージ支承部７２の左スロープ９４に接続させ、右端を同じく右スロープ１０９に接続させるようにして、主ステージ１０４をステージ支承部７２に載せている。一方、後壁１１０はステージ支承部７２の後端に当接し、ビス穴１１２を用いたビス止めによりステージ支承部７２と連結されている。
【００３６】
但し、主ステージ１０４の下方には後壁１１０は無く、Ｌ字ベース部７１の横部７４に立設されたボス７８及びボス７９は、後壁１１０（段差部分）の下方に達している。
内側の２本のボス７８は樋部材１１５用で、樋部材１１５のボス受１１６を貫通させたビスをボス７８に螺着させることで、樋部材１１５が支持部６７と連結される。また、図１０（ｄ）に示されるとおり、樋部材１１５の後板１１８がステージ部６８に接触し、支持部６７とでステージ部６８を挟持するので、ステージ部６８と支持部６７との連結を補強してもいる。
【００３７】
樋部材１１５の後板１１８の前面に連接された誘導樋１１７は落下誘導口１０６の直下に位置し、その先端は落下口７６に接続しているので、ガイド谷１０５から落下誘導口１０６に落下した遊技球は、誘導樋１１７にて落下口７６へと誘導されて落下口７６から落下する。
【００３８】
ステージ背部６９には、Ｌ字ベース部７１の横部７４に立設されたボス７９に対応して、４箇所のボス受１１９が設けられており、ボス受１１９を貫通させたビスをボス７９に螺着させることで、ステージ背部６９が支持部６７と連結される。また、ステージ背部６９の前端面がステージ部６８に接触し、支持部６７とでステージ部６８を挟持するので、ステージ部６８と支持部６７との連結を補強してもいる。
【００３９】
図１１、１２に示すように、右構造部９は、右前部１２１及び右後部１２２にて構成されている。
右前部１２１は、分割ベース部である右前ベース部１２４、その前面部から延出された分割延出部である前リブ１２６及び背面部から延出された分割延出部である後延出部１２７等を備えている。前リブ１２６は略弓状であり、右前ベース部１２４には、前リブ１２６の上下端部を結ぶように、直線縁１２８が設けられている。また、右前ベース部１２４には、遊技盤取付用のビス穴１２９や右後部１２２との連結のためのボス１３１等が設けられている。
【００４０】
右後部１２２には連結用のビス穴１３２等が設けられており、ビス穴１３２を貫通してボス１３１に螺着したビスにて右前部１２１と連結されている。
上構造部３、上隅構造部５、Ｌ字構造部７、右構造部９の４部分は、組立前は別々に分かれており、それぞれの遊技盤取付用のビス穴３５、６１、８１、１２９にて遊技盤に取り付けられることで、図１に示すようにセンターケース１として組立てられる。
【００４１】
但し、上構造部３、上隅構造部５、Ｌ字構造部７、右構造部９同士は、直接にも、間接的にも連結されないので、これらを相互に連結する機構は不要で、構造が複雑化しない。
また、分割の境界に相当する分割ベース部（上ベース部２７、上隅ベース部５７、Ｌ字ベース部７１、右前ベース部１２４）の接続端の形状は、隣り合う分割ベース部の接続端同士でのみ対応する相補的な形状にしてあるから、上記のように遊技盤上でセンターケース１を組み立てる際に、各構成単位の相対位置（隣接関係）を間違えるおそれはない。
【図面の簡単な説明】
【００４２】
【図１】実施例のセンターケースの正面図（ａ）、平面図（ｂ）、側面図（ｃ）、背面図（ｄ）。
【図２】上構造部の正面図（ａ）、平面図（ｂ）、側面図（ｃ）、背面図（ｄ）。
【図３】上構造部の分解斜視図。
【図４】上構造部の斜視図（ａ）、Ａ−Ａ断面図（ｂ）、Ｂ−Ｂ断面図（ｃ）、Ｄ−Ｄ断面図（ｄ）。
【図５】上隅構造部の正面図（ａ）、平面図（ｂ）、側面図（ｃ）、背面図（ｄ）。
【図６】上隅構造部の分解斜視図。
【図７】上隅構造部の斜視図（ａ）、Ａ−Ａ断面図（ｂ）、Ｂ−Ｂ断面図（ｃ）、Ｄ−Ｄ断面図（ｄ）。
【図８】Ｌ字構造部の正面図（ａ）、平面図（ｂ）、側面図（ｃ）、背面図（ｄ）。
【図９】Ｌ字構造部の分解斜視図。
【図１０】Ｌ字構造部の斜視図（ａ）、Ａ−Ａ断面図（ｂ）、Ｂ−Ｂ断面図（ｃ）、Ｄ−Ｄ断面図（ｄ）。
【図１１】右構造部の正面図（ａ）、平面図（ｂ）、側面図（ｃ）。
【図１２】右構造部の分解斜視図。
【符号の説明】
【００４３】
１・・・センターケース（遊技盤部品）、
３・・・上構造部、
５・・・上隅構造部、
７・・・Ｌ字構造部、
９・・・右構造部、
１０・・・窓、
１１・・・上前部、
１３・・・中部、
１５・・・背後カバー、
２７・・・上ベース部（分割ベース部）、
２９・・・スペーサリブ（延出部）、
４５・・・上隅前部、
４７・・・上隅背部、
４９・・・隅庇部、
５１・・・左ガード部、
５３・・・コーナー板、
５５・・・連結片、
５７・・・上隅ベース部（分割ベース部）、
５９・・・コーナー壁部（延出部）、
６７・・・支持部、
６８・・・ステージ部、
６９・・・ステージ背部、
７１・・・Ｌ字ベース部（分割ベース部）、
７２・・・ステージ支承部（延出部）、
７３・・・左下垂直部（延出部）、
９０・・・ワープ樋、
１２１・・・右前部、
１２２・・・右後部、
１２４・・・右前ベース部（分割ベース部）、
１２６・・・前リブ（延出部）、
１２７・・・後延出部（延出部）。
【図１】
2007014692.tif 000003
【図２】
2007014692.tif 000004
【図３】
2007014692.tif 000005
【図４】
2007014692.tif 000006
【図５】
2007014692.tif 000007
【図６】
2007014692.tif 000008
【図７】
2007014692.tif 000009
【図８】
2007014692.tif 000010
【図９】
2007014692.tif 000011
【図１０】
2007014692.tif 000012
【図１１】
2007014692.tif 000013
【図１２】
2007014692.tif 000014